(57)【要約】【課題】足下だけでなく、その周辺にもイオンが吹き付けられた空気を放出することができるテーブル装置を提供する。【解決手段】天板２と脚部３とを備えたテーブル装置１であって、前記脚部の少なくとも１つには、前記天板と前記脚部とで構成された空間（６）の内方に開口した吸気口４０と、前記吸気口から取り込んだ空気にイオンを吹き付けるイオン発生部４３と、前記内方に開口した内方吹出口４１と、前記空間の外方に開口した外方吹出口４２と、前記吸気口から取り込んだ空気を前記内方吹出口及び前記外方吹出口に送風する送風部４４とを備えたイオン発生装置４が設けられていることを特徴とする。【選択図】図１
2014134346.tif 000002
【特許請求の範囲】
【請求項１】
天板と脚部とを備えたテーブル装置であって、
前記脚部の少なくとも１つには、前記天板と前記脚部とで構成された空間の内方に開口した吸気口と、前記吸気口から取り込んだ空気にイオンを吹き付けるイオン発生部と、前記内方に開口した内方吹出口と、前記空間の外方に開口した外方吹出口と、前記吸気口から取り込んだ空気を前記内方吹出口及び前記外方吹出口に送風する送風部とを備えたイオン発生装置が設けられていることを特徴とするテーブル装置。
【請求項２】
請求項１において、
前記外方吹出口は、前記脚部の上面に形成されていることを特徴とするテーブル装置。
【請求項３】
請求項１又は請求項２において、
前記イオン発生装置は、前記吸気口と連通するとともに前記内方吹出口及び前記外方吹出口に連通するように分岐した通気路を備え、
前記通気路の分岐点に、前記イオン発生部及び前記送風部が設けられていることを特徴とするテーブル装置。
【発明の詳細な説明】
【技術分野】
【０００１】
本発明は、天板と脚部とを備えたテーブル装置に関する。
【背景技術】
【０００２】
近年、イオン発生装置を有した空気清浄機などが普及しており、イオンによって空気中に浮遊する細菌や微細たんぱく質粒子を分解して無害化する技術が提案されている。
不快な臭いを防止する装置が内装されたテーブル装置としては、下記特許文献１が挙げられる。
ここには、掘こたつ本体の底面に発熱パネルとカーペットとを備えた堀こたつが開示されており、この堀こたつは、発熱パネルとカーペットとの間に設けた空気層と、該空気層と外気をつなぐように設けた空気路と、空気路に設けられた送風機とを有している。そして空気路には、消臭器と除湿器とが設けられている点が開示されている。
【先行技術文献】
【特許文献】
【０００３】
【特許文献１】特開平１０−３８２７８号公報
【発明の概要】
【発明が解決しようとする課題】
【０００４】
しかしながら、上記特許文献１に開示されているものは、掘こたつ内の消臭や除湿は可能であっても、イオン発生装置を有したものではなく、また足下以外の掘こたつ周辺の空気を消臭や除湿できる構成ではない。
【０００５】
本発明は、このような事情を考慮して提案されたもので、足下だけでなく、その周辺にもイオンが吹き付けられた空気を放出することができるテーブル装置を提供する。
【課題を解決するための手段】
【０００６】
上記目的を達成するために、本発明のテーブル装置は、天板と脚部とを備えたテーブル装置であって、前記脚部の少なくとも１つには、前記天板と前記脚部とで構成された空間の内方に開口した吸気口と、前記吸気口から取り込んだ空気にイオンを吹き付けるイオン発生部と、前記内方に開口した内方吹出口と、前記空間の外方に開口した外方吹出口と、前記吸気口から取り込んだ空気を前記内方吹出口及び前記外方吹出口に送風する送風部とを備えたイオン発生装置が設けられていることを特徴とする。
【０００７】
また、本発明において、前記外方吹出口は、前記脚部の上面に形成されている構成としてもよい。
さらに、本発明において、前記イオン発生装置は、前記吸気口と連通するとともに前記内方吹出口及び前記外方吹出口に連通するように分岐した通気路を備え、前記通気路の分岐点に、前記イオン発生部及び前記送風部が設けられている構成としてもよい。
【発明の効果】
【０００８】
本発明のテーブル装置によれば、上述の構成としているため、足下だけでなく、その周辺にもイオンが吹き付けられた空気を放出することができる。
【図面の簡単な説明】
【０００９】
【図１】本発明の一実施形態に係るテーブル装置の一例を模式的に示した概略斜視図である。
【図２】（ａ）〜（ｃ）は同テーブル装置の脚部の構造の説明図であり、（ａ）は脚部の構造を説明するための概略断面図、（ｂ）は脚部の概略平面図及び概略側面図、（ｃ）は脚部の概略斜視図である。
【図３】同テーブル装置の脚部に設けられたイオン発生装置の制御要部を示す基本ブロック図である。
【発明を実施するための形態】
【００１０】
以下に、本発明の実施の形態について、添付図面に基づいて説明する。
本実施形態のテーブル装置１は、天板２と脚部３とを備え、脚部３の少なくとも１つには、イオン発生装置４が設けられている。イオン発生装置４は、天板２と脚部３とで構成された空間の内方に開口した吸気口４０と、吸気口４０から取り込んだ空気にイオンを吹き付けるイオン発生部４３とを備えている。またイオン発生装置４は、上述の内方に開口した内方吹出口４１と、上述の空間の外方に開口した外方吹出口４２と、吸気口４０から取り込んだ空気を内方吹出口４１及び外方吹出口４２に送風する送風部４４とを備えている。
以下、詳しく説明する。
なお、以下では天板２と脚部３とで構成された空間をテーブル内空間６、テーブル内空間６の外方の空間、すなわちテーブル装置１の足下以外の空間を周辺空間７として説明する。
【００１１】
テーブル装置１は、一般家庭用のものとしてだけでなく、店舗用のテーブル装置としてもよく、平坦な床に直接置いて使用してもよいし、図例のように掘炬燵のテーブルとして使用してもよい。以下では堀炬燵のテーブルとして用いた例について説明する。
テーブル装置１の天板２と脚部３の構造、形状等は特に限定されないが、図例のテーブル装置１は、略方形平板状の天板２と、略三角柱状の４本の脚部３とを備えている。天板２の４隅は斜めにカットされており、天板２と複数の脚部３とは、脚部３の上方側面に天板２のカットされた側面が組み付けられ一体とされている。
【００１２】
堀炬燵部５は、上方に開口部５１を有した略箱状の堀炬燵本体５０と、堀炬燵本体５０の側面や底面を温めるヒータ（不図示）が電気的に接続される電源部５２と、テーブル装置１が設置される枠材５３とを備えている。図中、５０ａは堀炬燵本体５０の側面に設けられる断熱材である。この断熱材は、堀炬燵本体５０の底面にも設けられている。
ヒータの構造、構成は特に限定されないが、フラットなＰＴＣヒータが好適に用いられ、ヒータは天板２の裏面に設けるようにしてもよい。またヒータを堀炬燵本体５０の底面にのみ設けるようにしてもよい。
【００１３】
図１に示すように４本ある脚部３のうち、紙面手前側の一本には、イオン発生装置４が設けられている。この脚部３のみを示したのが、図２（ｃ）であり、ここに示すようにこの略三角柱状の脚部３の上面３０には、横長矩形状に開口した外方吹出口４２が設けられている。またこの脚部３の側面のうち、テーブル内空間６側に面した側面３１には、吸気口４０と内方吹出口４１とが設けられている。図２（ｂ）はこの脚部３の概略平面図及び概略側面図を示している。
このように外方吹出口４２が、脚部３の上面３０に形成されているので、テーブル装置１の上方へイオンが吹き付けられた空気を放出することができる。
【００１４】
吸気口４０、内方吹出口４１、外方吹出口４２のそれぞれの形状や大きさ等は図例に限定されるものではないが、図例のものは、脚部３の側面３１の下方に縦長矩形状に開口した吸気口４０が形成されている。その吸気口４０と同じ側面３１の上方には、横長矩形状に開口した内方吹出口４１が形成されている。図例のものは、吸気口４０が内方吹出口４１よりも大きく形成されている。これによれば、テーブル内空間６のこもった空気を多く通気路４５に取り込むことができ、図２（a）に示すように効率よく空気の循環を行うことができる。
【００１５】
なお、吸気口４０、内方吹出口４１の形状、大きさは図例に限定されず、いずれも同じ形状、大きさとしてもよいし、内方吹出口４１を吸気口４０より大きく形成してもよい。
また内方吹出口４１と吸気口４０とは、図例のように間隔を空けて設けられることが望ましい。これによれば、イオンが吹き付けられた空気がすぐに吸気口４０から取り込まれてしまうといった空気のショートパス現象を抑制がすることができる。
吸気口４０、内方吹出口４１、外方吹出口４２の形状としては、図例の他、例えば円形状、長円形状、三角形状、横長もしくは縦長矩形状等が挙げられる。
また吸気口４０の開口部分には、埃やごみ等をとらえることができるようなフィルターを設けるようにしてもよい。これによれば、通気路４５内への埃やごみ等の侵入を防ぐことができる。
さらに内方吹出口４１、外方吹出口４２には吹き出し方向を調整自在としたルーバーを設けるようにしてもよい。
【００１６】
図２（ａ）に示すように脚部３には、吸気口４０と連通するとともに内方吹出口４１及び外方吹出口４２に連通するように分岐した断面視においてＹ字形状の通気路４５を備え、通気路４５の分岐点に、イオン発生部４３及び送風部４４が設けられている。
以上の構成により、この脚部３自体がイオン発生装置４とみることもでき、テーブル内空間６に別途イオン発生装置を設置する場合と比べて省スペース化を図ることができる。
なお、図中、４５ａは吸気側通気路、４５ｂは内方側通気路、４５ｃは外方側通気路を示している。
【００１７】
イオン発生装置４は、その他、図３に示すようにイオン電源部４９、イオン発生部４３によるイオンの発生を制御する制御部４６、タイマー４７、センサーなどで構成された操作検知部４８などを備えている。
イオン発生装置４のイオン発生構造は、公知の構造を用いることができるが、図例のイオン発生部４３は、イオンを発生するイオン化針４３ａ（放電電極）と、高圧発生回路４３ｂと、電位保持部４３ｃとを少なくとも備えた例を示している。イオン電源部４９から電源供給を受けた高圧発生回路４３ｂでイオン化針４３ａにマイナスまたはプラスの高電圧を印加して、電位保持部４３ｃでマイナス電圧またはプラス電圧を発生するように構成することで、マイナスまたはプラスの電荷をもつイオンが発生する。
イオン電源部４９の構成は特に限定されないが、例えば脚部３の下面に電源プラグ部を設けるようにしてもよい。この場合は、堀炬燵本体５０側にコンセント部を設け、脚部３を設置する際にコンセント部に電源プラグ部を差込み、電源供給を受ける構成とすることができる。
【００１８】
その他のイオン発生構造として、例えば帯電微粒子水を吐出する静電霧化装置を採用してもよい。この静電霧化装置の例の詳細な説明は省略するが、例えば、ピン状の放電電極（霧化電極）と、この放電電極に対向して配置され、放電電極と同軸状の開口を有してリング形状とされた対向電極とを備えたものとしてもよい。そして、これら放電電極と、対向電極との間に高電圧を印加することで放電現象を生じさせ、放電電極に保持された水分を静電霧化させることで、帯電微粒子水を電極間から吐出する構成とされたものとしてもよい。また、この帯電微粒子水としては、ナノメートルサイズの粒子径のもの（例えば、５ｎｍ〜２０ｎｍ程度）を含む帯電した微粒子液滴で、空気中にミスト状態で浮遊可能なものとしてもよい。
【００１９】
イオン発生部１１は、図２（ａ）に示すように、Ｙ字形状の通気路４５の分岐点のほぼ中央に設けられ、その下方にモーター回転式のファンで構成された送風部４４が配設されている。この通気路４５の空間のうち、内方側通気路４５ｂと外方側通気路４５ｃとは、イオン発生部４３より発生するイオンの放出路として構成される。送風部４４はこの内方側通気路４５ｂと外方側通気路４５ｃの両方にイオンが吹き付けられた空気が通じるように内方吹出口４１及び外方吹出口４２の両方に向けて斜めに傾斜した状態で設けられている。
【００２０】
以上によれば、まずテーブル内空間６の空気は吸気口４０から取り込まれ、吸気側通気路４５ａから送風部４４によってイオン発生部４３に送り込まれる。ここで空気にイオンが吹き付けられることにより、空気の除菌、脱臭効果が期待できる。そしてイオンが吹き付けられた空気は、送風部４４によって、内方側通気路４５ｂと外方側通気路４５ｃに送風され、内方吹出口４１と外方吹出口４２から吹き出される。内方吹出口４１が吹き出した空気は、テーブル内空間６に行き渡り、外方吹出口４２から吹き出した空気は、テーブル装置１の足下以外の周辺空間７に送風され、空気の循環が繰り返される（図２（ａ）及び図２（ｃ）の白抜矢印方向参照）。
【００２１】
よって、テーブル装置１の脚部３にイオン発生装置４が設けられ、内方吹出口４１及び外方吹出口４２を備えているので、天板２と脚部３とで構成されたテーブル内空間６と、周辺空間７との双方にイオンが吹き付けられた空気を放出することができる。よって、テーブル装置１の足下だけでなく、足下以外の周辺の空気も清潔に保つことができ、除菌・脱臭効果等を期待することができる。
【００２２】
なお、テーブル装置１、天板２、脚部３、イオン発生装置４、堀炬燵部５等の構成、構造は、上述の例に限定されない。例えば天板２が脚部３の上面３０に載置されるものであってもよい。この場合には天板２に外方吹出口４２と連通する開口部を形成し、外方吹出口４２から放出されるイオンが吹き付けられた空気を天板２の開口部から放出させれば、周辺空間７の除菌・脱臭効果等を期待することができる。
また脚部３のすべてにイオン発生装置４を設けるようにしてもよい。この場合は大きなテーブル装置１であっても、テーブル内空間６及び周辺空間７の除菌・脱臭効果等を期待することができる。その他、対角線上にある２本の脚部３にイオン発生装置４を設けるようにしてもよい。
【符号の説明】
【００２３】
１          テーブル装置
２          天板
３          脚部
４          イオン発生装置
４０        吸気口
４１        内方吹出口
４２        外方吹出口
４３        イオン発生部
４４        送風部
６          テーブル内空間
７          周辺空間
【図１】
2014134346.tif 000003
【図２】
2014134346.tif 000004
【図３】
2014134346.tif 000005